(57)【要約】      （修正有）【課題】多機能で安価な便器洗浄器制御スイッチを提供する。【解決手段】殻体、捻り部材、制御部、軸桿を含み、殻体内に収容空間を備え、軸桿を制御部材と組み合わせ、殻体が収容空間と連通する入口、第１出口と第２出口を設け、捻り部材は、殻体上にピン接合し、捻り部材が軸桿と連動し、制御部は、収容空間を仕切り、殻体入口、第１出口、第２出口を連通させず、制御部は、上支持板、下支持板、弁板を含み、上支持板は、第１注入口と第２注入口を設け、第１、第２注入口は、第１出口、第２出口と連通し、下支持板は、第１、第２注入口が対応する第３注入口と第４注入口を設け、第３、第４注入口と入口が連通し、弁板は、上支持板と下支持板との間に設置され、弁板は、軸桿と連動し、弁板上に少なくとも１つの導引孔を設け、捻り部材が軸桿を介して弁体を連動し、導引孔を第１、第３注入口、または第２、第４注入口と重ね合わせ、入口と第１出口または第２出口を開放する。【選択図】図１
0003137349.tif 000002
【実用新案登録請求の範囲】
【請求項１】
便器洗浄器制御スイッチであって、その殻体は、殻体、捻り部材、制御部および軸桿を含み、そのうち、
該殻体内に収容空間を備え、軸桿を制御部材と組み合わせさせ、該殻体が収容空間と連通する入口、第１出口および第２出口を設けてなり、
該捻り部材は、殻体の上にピン接合し、該捻り部材が軸桿と連動してなり、
該制御部は、該収容空間を仕切り、殻体の入口、第１出口、第２出口が相互に連通しないようにし、該制御部は、上支持板、下支持板および弁板を含み、該上支持板は、第１注入口と第２注入口を設けてなり、該第１、第２注入口は、それぞれ第１出口、第２出口と連通し、該下支持板は、それぞれ第１注入口、第２注入口が対応する第３注入口および第４注入口を設けてなり、第３注入口、第４注入口と入口は相互に連通し、該弁板は、上支持板と下支持板との間に設置され、該弁板は、軸桿と連動し、弁板上には少なくとも１つの導引孔を設けてなり、
捻り部材が軸桿を介して弁体を連動し、導引孔を第１、第３注入口、または第２、第４注入口と重ね合わせ、入口および第１出口または第２出口を開放させることができる
便器洗浄器制御スイッチ。
【請求項２】
前記第３注入口と第４注入口が弧形で徐々に広がる形状の孔を呈し、出水量を調節する請求項１記載の便器洗浄器制御スイッチ。
【請求項３】
前記弁板上に２つの導引孔を設けてなる請求項１記載の便器洗浄器制御スイッチ。
【請求項４】
前記上下支持板と殻体との間にそれぞれ防水パッドを設けてなる請求項１記載の便器洗浄器制御スイッチ。
【請求項５】
前記第１注入口、第２注入口と殻体との間にそれぞれ放水パッドを設けてなる請求項１記載の便器洗浄器制御スイッチ。
【請求項６】
前記殻体が上殻と下殻を含む請求項１記載の便器洗浄器制御スイッチ。
【請求項７】
前記上殻内壁に凹溝を設け、該上支持板と下支持板の側縁にそれぞれ該凹溝と対応する凸リブを設け、凹溝と凸リブが相互に嵌合し、上支持板と下支持板が殻体と対応する回転を発生しない請求項６記載の便器洗浄器制御スイッチ。
【請求項８】
前記弁体上に嵌合溝を設け、該軸桿底端に嵌合溝と対応する嵌合リブを設けてなる請求項１記載の便器洗浄器制御スイッチ。
【請求項９】
前記上支持板中央に開口を設け、該開口は、軸桿を円心通過させることに用いる請求項１記載の便器洗浄器制御スイッチ。
【請求項１０】
前記本体は洗浄装置上に設置し、該洗浄装置が、板状を呈し、ロック部を設け、該ロック部はロック溝を設けてなり、該ロック溝が開放式を呈し、各類型の便器に合わせて組み合わせることができる請求項１記載の便器洗浄器制御スイッチ。
【請求項１１】
前記ロック溝は細長いＬ形構造を呈し、該ロック溝Ｌ形構造の一端に開口を設けてなる請求項１０記載の便器洗浄器制御スイッチ。
【請求項１２】
前記ロック部の材質は、プラスチックで構成される請求項１０記載の便器洗浄器制御スイッチ。
【請求項１３】
前記本体は洗浄装置上に設置し、該洗浄装置が、板状を呈し、載置部を設け、該載置部が斜面を設けてなり、良好な接合効果を提供する請求項１記載の便器洗浄器制御スイッチ。
【請求項１４】
前記載置部の材質は、プラスチックで構成される請求項１３記載の便器洗浄器制御スイッチ。
【考案の詳細な説明】
【技術分野】
【０００１】
本考案は、便器洗浄器制御スイッチに関し、特に、電力を必要とせず、１つのスイッチによって多段式出水を制御できる制御スイッチであり、結合が確実である効果を有する便器洗浄制御スイッチに関する。
【背景技術】
【０００２】
ウォシュレット便器は、便器上に設ける自動洗浄装置の便器設備を指し、制御スイッチによって水柱噴出を制御し、水柱によって洗浄しトイレットペーパー拭くことにより起こる細菌感染または摩擦で腫れる等の疾患、傷の痛みを回避することができ、このように、より良好な洗浄効果を達成することができるだけなく、紙の浪費を節省し、不要な傷病の発生を避けることができる。
【０００３】
従来の便器洗浄制御スイッチの多くは、単一出水設計であり、１つの制御スイッチが１つの出水口に対応する方式を採用し、使用者が部位の違いによって異なる出水口を選択する時、該出水口の対応する制御スイッチを操作する必要があるので、この設計方式は製品上の制御スイッチが出水口の数量に応じて多くなり、コストが高くなるだけではなく、多くの制御スイッチが使用者に操作上の不便をもたらす。
【０００４】
従来の電子式設計の制御スイッチは、使用者が押すことによって、内部の回路と処理ユニットの感応を介して、対応して出水口の水量出力を制御するが、電子式制御の制御スイッチは、製品のコストが高くなり、且つ処理ユニット等の電子設備を湿った浴室またはトイレの中に置き、損壊率が高く、製品の寿命を維持することが困難であり、相当大きな欠陥と不便を有する。
【０００５】
続いて、従来の洗浄装置は、特定寸法の規格の便器にのみ対応し組み合わせ使用でき、且つ、前記洗浄装置は、さらに便座自身の緊密性を妨害し、図１９に示すように、該洗浄装置９０の設置によって、便座９１が有効に便器と密接できなくし、さらには、相当大きな隙間を発生させ、このように、使用者が挟まり傷つくだけではなく、受ける力により断裂する可能性もある。
【特許文献１】特開平１０−２５７８５号公報
【考案の開示】
【考案が解決しようとする課題】
【０００６】
本発明の目的は、従来の制御スイッチのただ単一の出水機能を有し、電子設備を併せて出水を制御する必要がある等の欠点を改善することができる便器洗浄制御スイッチを提供することにある。
【０００７】
本発明のもう１つの目的は、便器と組み合わせが便利で且つ貼り合わせがより確実な設計の洗浄装置を提供することである。
【課題を解決するための手段】
【０００８】
前記の発明の目的を達成するため、本発明は、殻体、捻り部材、制御部および軸桿を含み、該殻体内に収容空間を備え、軸桿を制御部材と組み合わせさせ、該殻体が収容空間と連通する入口、第１出口および第２出口を設けてなる。該捻り部材は、殻体の上にピン接合し、該捻り部材が軸桿と連動する。該制御部は、該収容空間を仕切り、殻体の入口、第１出口、第２出口が相互に連通しないようにし、該制御部は、上支持板、下支持板および弁板を含み、該上支持板は、第１注入口と第２注入口を設けてなり、該第１、第２注入口は、それぞれ第１出口、第２出口と連通し、該下支持板は、それぞれ第１注入口、第２注入口が対尾する第３注入口および第４注入口を設けてなり、第３注入口、第４注入口と入口は相互に連通し、該弁板は、上支持板と下支持板との間に設置され、該弁板は、軸桿と連動し、弁板上には少なくとも１つの導引孔を設けてなる。
【０００９】
このように、捻り部材を回転させ、軸桿を介して弁板を回転させ、導引孔を第１、第３注入口または第２、第４注入口を重ね合わせ、入口と第１出口または第２出口を開放する。
【考案の効果】
【００１０】
上記からわかるように、本発明は単一制御スイッチによって異なる出水口を開閉し、且つ電子式設計を採用する必要がなく、電子製品のコストが高く、湿った環境下で損壊し易い欠点を回避することができる。
【００１１】
本発明の本体は、洗浄装置に設置され、該洗浄装置は、板状を呈し、ロック部を設けてなり、該ロック部は、ロック溝を設けてなり、それが細長いＬ形構造を呈し、該ロック溝のＬ形構造の一端は、開口を設けてなり、開放式を呈し、各類型の便器に併せて組み立て、且つ該洗浄装置は、載置部を設けてなり、該載置部は、斜面を設け、該斜面によって、便器の便座と便器との間に良好な密接効果を達成してなり、したがって、本発明は、実用性および進歩性を有する発明であり、産業界に推薦し、社会大衆に公開するに値する。
【考案を実施するための最良の形態】
【００１２】
本発明は、便器洗浄器制御スイッチに関し、図１から図５に示すように、この種の便器洗浄器制御スイッチの本体は、殻体、捻り部材２０、軸桿３０および制御部４０を含み、本発明の便器洗浄器制御スイッチの本体は、洗浄装置５０上に設置され、該洗浄装置５０のスイッチとしてなり、該洗浄装置５０は、板状を呈し、ロック部５０１を設けてなり、該ロック部はロック溝５０２を設けてなり、該ロック溝５０２は細長いＬ形構造を呈し、該ロック溝のＬ形構造の一端には、開口５０３を設け、開放式を呈し、各類型の便器に併せて組み付けできる。該洗浄装置は、載置部５０４を設けてなり、該載置部５０４は、斜面５０５を設け、良好な接合効果を提供する。且つ該ロック部５０１と載置部５０４は、いずれもプラスチック材質で製造される。
【００１３】
該殻体は、上殻１１および下殻１２を含み、該上殻１１は、図２、図３の異なる角度から見た図に示すように、該上殻１１と下殻１２は対応する模様を設けてなり、相互に組み合わせることができ、該上殻１１と下殻１２との間に収容空間を囲み合わせて出し、軸桿３０と制御部４０を組み込ませ、且つ該殻体は下殻１２に入口１２１を設け、水源に接続でき、該入口１２１は、収容空間と連通し、該殻体は、上殻１１に第１出口１１２と第２出口１１２を設けてなり、該第１出口１１１と第２出口１１２も収容空間と連通し、該第１出口１１１、第２出口１１２は、出水ヘッド５１の異なる出水部５１１，５１２に接続する。該殻体は、上殻１１中央に軸孔１３を設けてなり、軸桿３０は、該軸孔１３部分的に長く延伸し捻り部材２０と結合することができる。該上殻１１内壁に２つの凹溝１４を設けてなる。
【００１４】
該捻り部材２０は板状を呈し、該板状の表面に扁平状のブロック体を突出し、使用者に施力回転させる。該捻り部材２０は、殻体の上殻１１にピン接合し、該捻り部材２０底側中央部分は該軸桿３０と結合し、該軸桿３０は捻り部材２０の連動を受けることができる。
【００１５】
該軸桿は、殻体の収容空間内に収容され、軸桿３０上端は、上殻１１の軸孔１３から伸び捻り部材２０と組み合わさり連動し、軸桿３０底部は、十字形を呈する嵌合リブ３１を設けてなる。
【００１６】
該制御部４０は、殻体の収容空間を仕切り、入口１２１、第１出口１１１、第２出口１１２が相互に連通できなくし、該制御部４０は、上支持板４１、弁板４２および下支持板４３を含み、該上殻１１と下殻１２との間に防水パッド４４を設けてなり、上殻１１と上支持板４１、下殻１２と下支持板４３との間にも防水パッド４４を設けてなる。
【００１７】
該制御部４０の上支持板４１中央に開口４１１を設け、軸桿３０を突出通過させ、該上支持板４１側縁には凸リブ４１２を設け、殻体上殻１１の凹溝１４中に嵌合でき、上支持板４１を殻体と対応した回転を発生させるだけでなく、上支持板４１上下端面に第１注入口４１３と第２注入口４１４を設け、第１注入口４１３および第２注入口４１４は、それぞれ第１出口１１１、第２出口１１２と相互に連通し、第１注入口４１３および第２注入口４１４と殻体との間には、それぞれ防水パッド４４を設けてなる。
【００１８】
該制御部４０の下支持板４３は、側縁に凸リブ４３１を設け、該凸リブ４３１によって殻体上殻１１の凹溝１４中に嵌合でき、下支持板４３に殻体と対応した回転を発生させるだけでなく、下支持板４３上下端面に第３注入口４３２と第４注入口４３３を設け、第３注入口４３２および第４注入口４３３は、孤形に広がる形状の孔を呈し、且つ該第３注入口４３２の位置は、第１注入口４１３の位置に対応し、該第４注入口４３３の位置は、第２注入口４１４の位置に対応する。
【００１９】
該制御部４０の弁体４２は、少なくとも１つの導引孔４２１を有し、本実施例中、２つの導引孔４２１で構造を記載し、該制御部４０中央に嵌合溝４２２を設け、軸桿３０の嵌合リブ３１を結合連動させる。
【００２０】
このように、該捻り部材２０の旋転が軸桿３０を介して制御部４０の弁板４２を連動し、導引孔４２１を第１注入口４１３、第２注入口４３２を重ね合わせ、または、第２注入口４１４、第４注入口４３３と重ね合わせる時、該殻体入口と第１出口１１１との間の水流経路が開放され、第１注入口４１３と連通する第１出口１１１に出水させる。導引孔４２１が第２注入口４１４、第４注入口４３３と重ね合わさる時、該殻体入口と第２出口１１２の間の流水経路が開放され、第２注入口４１４と相互に連通する第２出口１１２に出水させる。導引孔４２１が如何なるものとも重なり合わない時、閉塞の状態を呈する。
【００２１】
図６〜図１４は、本発明のスイッチ部分操作時の各状態の説明図であり、そのうち、該図６、図７および図１２は、本発明の水流スイッチの状態を説明し、図６および図７に示すように、捻り部材２０が中央に位置する時、導引孔４２１は第１注入口４１３、第３注入口４３２、または第２注入口４１４、第４注入口４３３と重なり合わないので、殻体入口１２１と第１出口１１１、第２出口１１２はいずれも導通せず、水流経路は密閉される。
【００２２】
図８、図９および図１３は、本発明の入口１２１と第２出口１１２が導通状態の説明であり、図８、図９に示すように、捻り部材２０が反時計回りに回転する時、該導引孔４２１は第２注入口４１４、第４注入口４３３と徐々に重なり合い、該第４注入口４３３と孤形に広がる形状を呈し、捻り部材２０の反時計回りの回転が大きくなれば、該弁板４２の導引孔４２１も第４注入口４３３とより大きな孔で重なり合い第２出口１１２により大きな流通空間を提供し、該第２出口１１２の出水量を増大させる。
【００２３】
該図１０、図１１および図１４は、本発明の入口１２１と第１出口１１１が導通状態の説明であり、図１０、図１１に示すように、捻り部材２０が時計回りに回転する時、該導引孔４２１は、第１注入口４１３、第３注入口４３２と徐々に重なり合い、且つ該第３注入口は弧状の徐々に広かる形状を呈するので、捻り部材２０の時計回りの回転が大きくなる時、該弁体４２の導引孔４２１も第３注入口４３２とより大きな箇所で重なり合い、第１出口１１１により大きな流通空間を提供し、該第１出口１１１の出水量を増大させる。本発明が単一制御スイッチによって異なる出水口を制御し、且つ電子式設計を必要とせず、電子製品のコストを削減し、湿った環境で、損壊する欠陥を克服する。
【００２４】
図１５〜図１７に示すように、本発明の洗浄装置５０は、該ロック部５０１が固定部材６１に合わせることで格式寸法規格の便器６０に組み合わせることができ、使用者が該洗浄装置５０の開口５０に固定部材６１を挿入し、図１７に示すように、該固定部材６１をロック溝５０２内に進入させ、螺子固定部材またはその他のロック装置を利用し、該ロック溝５０２内の固定部材６１をロック部５０１と一体に組み合わせることができるので、該洗浄装置５０を便器６０上に簡単に組み込むことができ、且つ各式異なる寸法規格の便器６０に適応することができる。
【００２５】
図１８に示すように、本発明の洗浄装置５０は、載置部５０４に斜面５０５を設けてなり、該斜面５０５は載置部５０４から下向きに傾斜し、該洗浄装置５０は、パッド６２と便器６０との間に設置し、該斜面５０５の設計を利用し、該洗浄装置５０がパッド６２に係止することがなくし、パッド６２を斜面５０５に沿って配置させることができるので、パッド６２が便器６０と接合状態を保持し、隙間が有して衝撃で破損する状況が発生することがない。
【００２６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２７】
【図１】本考案の立体分解図である。
【図２】本発明の他の角度から見た図である。
【図３】本発明の他の角度から見た図である。
【図４】本発明の組み立て説明図である。
【図５】本発明の組み立て透視説明図である。
【図６】本発明の閉鎖状態の横断面説明図である。
【図７】図６の俯瞰図である。
【図８】本発明の第２出口開放放水状態の横断面説明図である。
【図９】図８の俯瞰図である。
【図１０】本発明の第１出口開放放水状態の横断面説明図である。
【図１１】図１０の俯瞰図である。
【図１２】図６の縦断面説明図である。
【図１３】図８の縦断面説明図である。
【図１４】図１０の縦断面説明図である。
【図１５】本発明のロック部と便器の組み立て説明図である。
【図１６】本発明のロック部と便器の組み立て説明図である。
【図１７】本発明のロック部と便器の組み立て立体図である。
【図１８】本考案の排泄受け部斜面の組み立て断面説明図である。
【図１９】従来の構造の断面説明図である。
【符号の説明】
【００２８】
１１ 上殻
１１１ 第１出口
１１２ 第２出口
１２ 下殻
１２１ 入口
１３ 軸孔
１４ 凹溝
２０  捻り部材
３０  軸桿
３１ 嵌合リブ
４０  制御部
４１  上支持板
４１１ 開口
４１２ 凸リブ
４１３ 第１注入口
４１４  第２注入口
４２  弁板
４２１ 導引孔
４２２ 嵌合溝
４３  下支持板
４３１  凸リブ
４３２  第３注入口
４３３  第４注入口
４４  防水パッド
５０  洗浄装置
５０１  ロック部
５０２  ロック溝
５０３  開口
５０４  載置部
５０５  斜面
５１  出水ヘッド
５１１  出水部
５１２  出水部
６０  便器
６１  固定部材
６２  便座
９０  洗浄装置
９１  便座
９２  便器
【図１】
0003137349.tif 000003
【図２】
0003137349.tif 000004
【図３】
0003137349.tif 000005
【図４】
0003137349.tif 000006
【図５】
0003137349.tif 000007
【図６】
0003137349.tif 000008
【図７】
0003137349.tif 000009
【図８】
0003137349.tif 000010
【図９】
0003137349.tif 000011
【図１０】
0003137349.tif 000012
【図１１】
0003137349.tif 000013
【図１２】
0003137349.tif 000014
【図１３】
0003137349.tif 000015
【図１４】
0003137349.tif 000016
【図１５】
0003137349.tif 000017
【図１６】
0003137349.tif 000018
【図１７】
0003137349.tif 000019
【図１８】
0003137349.tif 000020
【図１９】
0003137349.tif 000021